(57)【要約】      （修正有）【課題】LED地(壁)タイル灯の構造装置を提供する。【解決手段】主に主コントロールボックス１、地(壁)タイル主体３、LED防水防塵灯４、副コントロールボックス６、防水シリコン７、回路板及び接続端子５、導線２により構成する。該LED地(壁)タイル灯の構造装置は該LED防水防塵灯を孔洞３１を開設した地(壁)タイル主体中に装置し、緊密に固定する。続いて、該回路板を該地(壁)タイル主体の背面に設置し、該LED防水防塵灯と創設、接合し、該接続端子を該回路板上に溶接、固定する。最後に、導線により該主コントロールボックスと該副コントロールボックスを接続し、防水シリコンを塗布する。該装置はLED地(壁)タイル灯の点滅及び常時点灯を制御することができる。【選択図】図２
0003108382.tif 000002
【実用新案登録請求の範囲】
【請求項１】
主に地（壁）タイル主体、回路板、複数個のLED防水防塵灯、副コントロールボックス、主コントロールボックスを含み、
該回路板には接続端子を設置し、
該複数個のLED防水防塵灯はピンを設置し、該回路板と電気的に接続し、
該副コントロールボックスは該回路板に信号を伝送し、該複数個のLED防水防塵灯の点灯/消灯動作をコントロールし、該副コントロールボックスの一端は導線により該接続端子に電気的に接続し、反対端は導線により該主コントロールボックスに電気的に接続し、
該主コントロールボックスは該副コントロールボックスをコントロールし、該各回路板上のLED防水防塵灯は個別に点灯及び消灯が可能であることを特徴とするLED地(壁)タイル灯の構造装置。
【請求項２】
前記地（壁）タイル主体上には前記LED防水防塵灯の数量と同一の孔洞を設置し、前記複数個のLED防水防塵灯を装置することを特徴とする請求項１記載のLED地(壁)タイル灯の構造装置。
【請求項３】
前記回路板は前記地（壁）タイル主体後方に設置することを特徴とする請求項１記載のLED地(壁)タイル灯の構造装置。
【請求項４】
前記LED防水防塵灯は前記回路板上に前記ピンを溶接し接続することを特徴とする請求項１記載のLED地(壁)タイル灯の構造装置。
【請求項５】
前記回路板は防水シリコンにより地タイルに接合固定されることを特徴とする請求項１記載のLED地(壁)タイル灯の構造装置。
【請求項６】
主に複数個のLED地（壁）タイル灯モジュール、副コントロールボックス、主コントロールボックスを含み、
該LED地（壁）タイル灯モジュールは地タイル主体、回路板、複数個のLED防水防塵灯により構成し、該LED防水防塵灯はピンを該回路板上に溶接固定し、該回路板上には接続端子を設置し、該地（壁）タイル主体には孔洞を設置し、該LED防水防塵灯を装置し、該回路板と該地（壁）タイルは防水シリコンにより接合され、
該副コントロールボックスは該回路板に信号を伝送し、該複数個のLED地（壁）タイル灯モジュールのLED防水防塵灯の点灯と消灯動作をコントロールし、該副コントロールボックス一端は導線により該接続端子に電気的に接続し、反対端は導線により該主コントロールボックスに電気的に接続し、
該主コントロールボックスは該副コントロールボックスコントロール可能で、各個が該副コントロールボックスと電気的に接続する該LED地（壁）タイル灯モジュールは個別に点灯及び消灯可能であることを特徴とするLED地(壁)タイル灯の構造装置。
【請求項７】
前記地（壁）タイル主体上には設有と前記LED防水防塵灯の数量と同一の孔洞を設置し、前記複数のLED防水防塵灯を設置することを特徴とする請求項６記載のLED地(壁)タイル灯の構造装置。
【請求項８】
前記回路板は地（壁）タイル主体後方に設置することを特徴とする請求項６記載のLED地(壁)タイル灯の構造装置。
【考案の詳細な説明】
【技術分野】
【０００１】
本考案は一種のLED地(壁)タイル灯の構造装置に関する。特に一種のLEDは地面或いは壁上の景観照明或いは警告用の地(壁)タイルに装置することができ、省エネルギー効果を具え、直接施工及び設置が可能でLED地(壁)タイル灯の構造装置に係る。
【背景技術】
【０００２】
公知の地面灯は灯シェード、電球と防水ゴムにより構成し、図１に示すように、導線により主コントロールボックスに接続し、電源コントロールのスイッチとする。該電球はタングステンフィラメント灯を採用するため、発光効率が悪く、方向指示性能も劣る。また色彩が単一であるなどの欠点もあるため、警告、補助照明としての役割を十分に果たすことができていない。
一方、近年LEDの応用範囲が広がり、高輝度LEDの発展も相まって、多くの警告灯或いは補助照明にLEDが光源として採用されるようになっている。LEDは莫大な電力料金を節減することができ、しかも多種の色彩を選択可能である。しかし該LEDを数個、一個の照明灯内に設置し、地(壁)タイルの警告用灯に応用する時には、やはり該複数のLEDは単一かつ共通のコントロール装置により制御される。
【考案の開示】
【考案が解決しようとする課題】
【０００３】
公知構造には以下の欠点があった。
すなわち公知の地面灯は電球としてタングステンフィラメント灯を採用するため、発光効率が悪く、方向指示性能も劣り、色彩が単一であるなど多くの欠点があり、警告、補助照明としての役割を十分に果たすことができていない。
しかし、近年応用範囲が広がっているLEDも、数個を一個の照明灯内に設置する場合には、やはり該複数のLEDは単一かつ共通のコントロール装置により制御されている。
本考案は上記構造の問題点を解決したLED地(壁)タイル灯の構造装置を提供するものである。
【課題を解決するための手段】
【０００４】
上記課題を解決するため、本考案は下記のLED地(壁)タイル灯の構造装置を提供する。
それは主にモジュールによりコントロールするLED地(壁)タイル灯の構造装置で、該装置は常時点灯或いは点滅或いは走馬灯などの異なる点灯方式を選択することができ、
さらにそれは、上記構造装置をプラットフォーム或いは車両進出位置に設置し、点滅或いは走馬灯点灯、方向指示点灯により、車両の進入(出)状態を示し、警告及び補助照明の機能を達成し、
すなわち本考案のLED地(壁)タイル灯は主コントロールボックス、副コントロールボックス、複数個のLED防水防塵灯、地（壁）タイル主体、回路板及び導線を含み、
該LED地(壁)タイル灯の構造装置はLED防水防塵灯を孔洞を開設した地(壁)タイル灯主体中に設置し、緊密に固定し、該回路板を該地(壁)タイル主体の背面に設置し、該LED防水防塵灯と溶接、接合し、接続端子を該回路板上に溶接、固定し、防水シリコンを塗布し、該回路板は該副コントロールボックスに電気的に接続し、該副コントロールボックスは該回路板上の各LED防水防塵灯の点灯及び消灯の各種信号をコントロールし、該副コントロールボックスは該主コントロールボックスと電気的に接続し、こうして一種のLED地(壁)タイル灯を構成することを特徴とするLED地(壁)タイル灯の構造装置である。
【考案の効果】
【０００５】
上記のように、本考案のLED地(壁)タイル灯の構造装置はLEDの節電/省エネルギー機能を利用し、方向指示性能に優れ、寿命が長く、色彩変化が豊富でかつ反応時間が早いという特性を具える。該優れた特性を具えたLED防水防塵灯と地(壁)タイル主体を防水シリコンにより一体に結合し、点滅及び常時点灯可能なLED地(壁)タイル灯とすることで節電、色彩豊富、迅速点滅及び寿命が長いなどの特性を発揮することができる。
【考案を実施するための最良の形態】
【０００６】
図２、３、４、５に示すように、本考案の地（壁）タイル主体３には複数個の孔洞（３１）を設置する。該地（壁）タイル主体（３）の孔洞（３１）中には複数個のLED防水防塵灯（４）を嵌入し、該LED防水防塵灯（４）のピン（４１）は回路板（８）上に溶接する。さらに、接続端子を該回路板（８）上に溶接、固定し、導線（２）により副コントロールボックス（６）と接続端子（５）に電気的に接続する。
該副コントロールボックス（６）は該回路板（８）上の各LED防水防塵灯（４）の点灯及び消灯の各種信号をコントロールする。該副コントロールボックス（６）は導線（２）により主コントロールボックス（１）と電気的に接続し、回路板（８）、地（壁）タイル主体（３）、LED防水防塵灯（４）とステンレス保護ケース（９）間には防水シリコン（７）を充填し、緊密に結合し、こうして一種のLED地(壁)タイル灯を組立てる。
【０００７】
次に図６に示すように、本考案実施例中のLED地(壁)タイル灯の構造装置はプラットフォームの地タイル或いは壁タイルのプラットフォーム灯モジュール（A1~A8）に設置する。副コントロールボックス（Ａ）は単一モジュールコントロールケース（６）で、同一側プラットフォームのプラットフォーム灯(A1~A8)は単一モジュールコントロールケース（６）によりLED防水防塵灯（４）の点灯、消灯をコントロールする。これにより、各プラットフォーム灯モジュール（A1~A8）間のLED防水防塵灯（４）はそれぞれに点灯、消灯時間をコントロール可能で、常時点灯、点滅或いは走馬灯形式などの点灯方式を選択し、列車(車両)の進入、発車など各種状態を標示することができる。単一モジュールコントロールケース（６）は主コントロールボックス（１）によりコントロールされる。
【図面の簡単な説明】
【０００８】
【図１】公知の伝統的タイル灯の指示図である。
【図２】本考案の使用状態指示図である。
【図３】本考案の断面図である。
【図４】本考案の局部断面図である。
【図５】本考案の俯瞰図である。
【図６】本考案実施例のブロックチャートである。
【符号の説明】
【０００９】
１  主コントロールボックス
２  導線
３  地(壁)タイル主体
３１  孔洞
４  LED防水防塵灯
４１  ピン
５  接続端子
６  副コントロールボックス
７  防水シリコン
８  回路板
９  ステンレス保護ケース
Ａ  単一モジュールコントロールケース
Ａ１〜Ａ８  プラットフォーム灯モジュール
【図１】
0003108382.tif 000003
【図２】
0003108382.tif 000004
【図３】
0003108382.tif 000005
【図４】
0003108382.tif 000006
【図５】
0003108382.tif 000007
【図６】
0003108382.tif 000008